(57)【特許請求の範囲】
【請求項１】
パネルの縦方向に向く遊端側の縁部を支柱に支持するパネル支持装置であって、
第１支持金具と第２支持金具とを備え、
前記第１支持金具は、支柱に固定されるベース金具と、パネルの縦方向に向く縁部を挟み込んだ状態でベース金具に取り付けられるカバープレートと、挟み込み部材とを備え、
前記第１支持金具のベース金具は、ベース金具を支柱に固定する固定部と、前記パネルの縦方向に向く縁部の裏面が当接する第１当接面と、前記パネルの縦方向に向く縁部の端面が当接する凸部と、カバープレートが取り付けられる取り付け部とを備え、
前記第１支持金具のカバープレートは、前記パネルの縦方向に向く縁部の表面が当接する第２当接面と、前記取り付け部に取り付けられる被取付け部とを備え、
前記第１支持金具は、ベース金具の凸部および取り付け部を境に第１当接面とは反対側の位置と、カバープレートの被取り付け部を境に第２当接面とは反対側の位置との間に前記第１支持金具の挟み込み部材が挟み込まれ、取り付け部と被取り付け部との間に隙間が確保された状態で、ベース金具に対しカバープレートがビス止め固定される構成とされ、
前記第２支持金具は、支柱に固定されるベース金具と、パネルの縦方向に向く縁部を挟み込んだ状態でベース金具に取り付けられるカバープレートと、挟み込み部材と、荷重支持部材とを備え、
前記第２支持金具のベース金具は、ベース金具を支柱に固定する固定部と、前記パネルの縦方向に向く縁部の裏面が当接する第１当接面と、前記パネルの縦方向に向く縁部の端面が当接する凸部と、カバープレートが取り付けられる取り付け部とを備え、
前記第２支持金具のカバープレートは、前記パネルの縦方向に向く縁部の表面が当接する第２当接面と、前記取り付け部に取り付けられる被取付け部とを備え、
前記第２支持金具は、
ベース金具の凸部および取り付け部を境に第１当接面とは反対側の位置と、カバープレートの被取り付け部を境に第２当接面とは反対側の位置との間に前記第２支持金具の挟み込み部材が挟み込まれ、取り付け部と被取り付け部との間に隙間が確保された状態で、ベース金具に対しカバープレートがビス止め固定され、
ベース金具とカバープレートとの下端にパネルの下端横方向に向く縁部に当接しパネルの
荷重を受ける前記荷重支持部材が挟み込まれる構成とされ、
前記第１支持金具の挟み込み部材は、前記第１支持金具の凸部における前記パネルの縦方向に向く縁部の端面が当接する面と反対側の面を側方から覆う状態で配設され、
前記第２支持金具の挟み込み部材は、前記第２支持金具の凸部における前記パネルの縦方向に向く縁部の端面が当接する面と反対側の面を側方から覆う状態で配設されている
ことを特徴とするパネル支持装置。
【請求項２】
前記固定部は支柱側に凸状に突出していることを特徴とする請求項１に記載のパネル支持装置。
【発明の詳細な説明】
【技術分野】
【０００１】
本発明は、建物のフェンスや仕切りなどを形成するガラスパネルなどのパネルの縁部を支持するパネル支持装置に関するものである。
【背景技術】
【０００２】
ガラスなどのパネルを支持するパネル支持装置が特許文献１に記載されている。パネルの縁部は、一端側が支柱に固定されたパネル支持装置の他端側にねじ止めされる。パネル支持装置のパネル取り付け孔は長孔とされており、該長孔を用いてパネル取り付け位置の微調整が行われる。
【先行技術文献】
【特許文献】
【０００３】
【特許文献１】特開２００９−１５０１９６号公報
【発明の概要】
【発明が解決しようとする課題】
【０００４】
特許文献１に記載のパネル支持装置では、パネルをパネル支持装置にねじ止めするために、パネルに貫通孔を形成しなければならない。パネルが合わせガラスなど複数枚のガラスで構成されている場合には、各々のガラスに貫通孔を形成しなければならない。作業者は、パネルの取り付け位置を調整しながらパネルの位置決めを行うので、パネルの位置決めを容易に行うことができず長い時間を要している。
【０００５】
本発明の目的は、パネルの位置決めを容易に行うことができ、パネル支持装置が支持するパネルに貫通孔などの追加工を行わなくてもパネルの縁部を支持することができるパネル支持装置を提供することである。
【課題を解決するための手段】
【０００６】
この課題を解決するために請求項１の発明は、パネルの縦方向に向く遊端側の縁部を支柱に支持するパネル支持装置であって、第１支持金具と第２支持金具とを備え、前記第１支持金具は、支柱に固定されるベース金具と、パネルの縦方向に向く縁部を挟み込んだ状態でベース金具に取り付けられるカバープレートと、挟み込み部材とを備え、前記第１支持金具のベース金具は、ベース金具を支柱に固定する固定部と、前記パネルの縦方向に向く縁部の裏面が当接する第１当接面と、前記パネルの縦方向に向く縁部の端面が当接する凸部と、カバープレートが取り付けられる取り付け部とを備え、前記第１支持金具のカバープレートは、前記パネルの縦方向に向く縁部の表面が当接する第２当接面と、前記取り付け部に取り付けられる被取付け部とを備え、前記第１支持金具は、ベース金具の凸部および取り付け部を境に第１当接面とは反対側の位置と、カバープレートの被取り付け部を境に第２当接面とは反対側の位置との間に前記第１支持金具の挟み込み部材が挟み込まれ、取り付け部と被取り付け部との間に隙間が確保された状態で、ベース金具に対しカバープレートがビス止め固定される構成とされ、前記第２支持金具は、支柱に固定されるベース金具と、パネルの縦方向に向く縁部を挟み込んだ状態でベース金具に取り付けられるカバープレートと、挟み込み部材と、荷重支持部材とを備え、前記第２支持金具のベース金具は、ベース金具を支柱に固定する固定部と、前記パネルの縦方向に向く縁部の裏面が当接する第１当接面と、前記パネルの縦方向に向く縁部の端面が当接する凸部と、カバープレートが取り付けられる取り付け部とを備え、前記第２支持金具のカバープレートは、前記パネルの縦方向に向く縁部の表面が当接する第２当接面と、前記取り付け部に取り付けられる被取付け部とを備え、前記第２支持金具は、ベース金具の凸部および取り付け部を境に第１当接面とは反対側の位置と、カバープレートの被取り付け部を境に第２当接面とは反対側の位置との間に前記第２支持金具の挟み込み部材が挟み込まれ、取り付け部と被取り付け部との間に隙間が確保された状態で、ベース金具に対しカバープレートがビス止め固定され、ベース金具とカバープレートとの下端にパネルの下端横方向に向く縁部に当接しパネルの荷重を受ける前記荷重支持部材が挟み込まれる構成とされ、
前記第１支持金具の挟み込み部材は、前記第１支持金具の凸部における前記パネルの縦方向に向く縁部の端面が当接する面と反対側の面を側方から覆う状態で配設され、
前記第２支持金具の挟み込み部材は、前記第２支持金具の凸部における前記パネルの縦方向に向く縁部の端面が当接する面と反対側の面を側方から覆う状態で配設されているものである。
【０００７】
請求項２の発明は、固定部が支柱側に凸状に突出しているものである。
【発明の効果】
【０００８】
請求項１記載の発明によれば、第２支持金具のベース金具とカバープレートとの下端に嵌め込まれる荷重支持部材がパネルの荷重を受けた状態で、ベース金具の凸部および取り付け部を境に第１当接面とは反対側の位置と、カバープレートの被取り付け部を境に第２当接面とは反対側の位置との間に挟み込み部材が挟み込まれ、パネルの縦方向に向く縁部の端面を凸部に当接させ、取り付け部と被取り付け部との間に隙間が確保された状態でベース金具に対しカバープレートをビス止め固定して、ベース金具の第１当接面とカバープレートの第２当接面とをパネルに当接させてパネルの位置決めを容易に行うことができるので、パネル支持装置が支持するパネルに貫通孔などの追加工を行わなくてもパネルの縁部を支持することができる。
【図面の簡単な説明】
【０００９】
【図１】第１の実施の形態に係るパネルが取り付けられた状態の斜視図である。
【図２】第１支持金具の部品構成を示す斜視図である。
【図３】第２支持金具の部品構成を示す斜視図である。
【図４】一方側から見たベース金具の斜視図である。
【図５】他方側から見たベース金具の斜視図である。
【図６】他方側から見たカバープレートの斜視図である。
【図７】一方側から見たカバープレートの斜視図である。
【図８】パネルの取り付け状態を示す正面図である。
【発明を実施するための形態】
【００１０】
以下、本発明の第１の実施の形態について図１〜図８に基づいて説明する。パネル支持装置１は、パネル２の垂直方向の周縁部を支持する第１支持金具３と、パネル２の下端角部を支持する第２支持金具４とを備える。第１支持金具３と第２支持金具４とは支柱５にねじ止めされる。第１支持金具３は、支柱５にねじ止めされるベース金具６と、パネル２の周縁部をベース金具６との間に挟み込んでベース金具６にねじ止め固定されるカバープレート７とを備える。ベース金具６およびカバープレート７はステンレス等の金属を用いて上下対称に一体成型される。
【００１１】
ベース金具６は四角形の板状に形成されたプレート部８を備える。プレート部８の一方側の面には凸状に突出した固定部である段付き部９が形成される。段付き部９の端面１０には貫通孔１１が形成される。貫通孔１１にはベース金具６を支柱５にねじ止めする六角ボルトが挿通される。
【００１２】
プレート部８の他方側の面には、ベース金具６を支柱５にねじ止めする六角ボルトの頭部が収容される孔部１２が形成される。孔部１２は六角形に形成されており、六角ボルトの頭部は回り止めされた状態で孔部１２に係合する。孔部１２に隣接して垂直方向に細長な凸部１３，１３が形成される。凸部１３にはカバープレート７をねじ止めするためのねじ孔１５が形成される。凸部１３，１３に隣接した位置であって孔部１２の周縁部には当接面１６が形成される。当接面１６にはパネル２の裏面が当接する。パネル２は端面が凸部１３の側面１７に当接した状態で裏面が当接面１６に当接する。これによってパネル２が位置決めされる。
【００１３】
凸部１３，１３およびねじ孔１５を境に当接面１６とは反対側の位置には、挟み込み部材２０が係止される溝部２１が形成される。挟み込み部材２０は長方形に形成された金属製の板である。溝部２１は垂直方向に細長に形成される。なお、凸部１３，１３間にカバープレート７の凸部２５が係合するために、凸部１３，１３の対向する端面２２，２２は、Ｖ字形の凹状に形成されている。
【００１４】
カバープレート７は四角形の板状に形成されたプレート部２３を備える。プレート部２３の一方側の面には、パネル２の表面が当接する当接面２４が形成される。当接面２４に隣接して垂直方向に細長な凸部２５が形成される。凸部２５は、カバープレート７がベース金具６に取り付けられたとき、ベース金具６に形成された２つの凸部１３，１３間に嵌め込まれる。このとき垂直方向の両端にあるＶ字の凸状に形成された端面２６，２６が、凸部１３の端面２２，２２に係合する。これによってカバープレート７が水平方向および垂直方向にずれることが防止される。
【００１５】
なお、凸部２５の水平方向の幅は、ベース金具６に形成される凸部１３，１３の水平方向の幅よりも多少幅狭に形成されており、凸部１３，１３の側面１７，１７に当接するパネル２の端面が凸部２５の側面２７に当接することが防止される。プレート部２３の他方側の面には、カバープレート７をベース金具６にねじ止めするための貫通孔２８が形成される。本実施の形態においては皿小ねじ３４が用いられるため貫通孔２８は座くりされている。カバープレート７の貫通孔２８を境に当接面２４とは反対側の位置には、挟み込み部材２０が係止される溝部２９が形成される。溝部２９は垂直方向に細長に形成される。
【００１６】
カバープレート７の上端および下端にはプレート部２３から立ち上がる立ち上がり部３０，３０が形成される。立ち上がり部３０，３０は、カバープレート７がベース金具６にねじ止めされたときベース金具６の凸部１３を垂直方向に挟みこみ、カバープレート７が上下方向にずれることを防止するとともに、ベース金具６の凸部１３を覆って第１支持金具３および第２支持金具４の外観を美的に処理する。
【００１７】
第２支持金具４は、第１支持金具３に荷重支持部材３１を取り付けたものである。第２支持金具４の説明において、第１支持金具３と重複する部分については説明を省略し同一の参照符を用いる。荷重支持部材３１は長方形に形成された金属製の板状である。ベース金具６の他方側の面とカバープレート７の一方側の面との上端および下端には、水平方向に細長な溝部３２および３３が形成されており、荷重支持部材３１の端面が、下端に位置する溝部３２，３３に嵌め込まれる。カバープレート７は、荷重支持部材３１がベース金具６とカバープレート７とに挟み込まれた状態でベース金具６に取り付けられる。
【００１８】
パネル２は、ベース金具６とカバープレート７との間に上方から嵌め込まれて、下端面が荷重支持部材３１に当接する。荷重支持部材３１は長方形の板状に形成されており、荷重支持部材３１の向きを変えることによって２つの異なる厚みのパネル２に対応することができる。さらに異なる形状の荷重支持部材３１を複数枚用意することによって、３つ以上の異なる厚みのパネル２に対応することができる。第２支持金具４のベース金具６およびカバープレート７は、第１支持金具３のベース金具６およびカバープレート７と同一形状とされるので、製作コストの削減を図ることができる。
【００１９】
なお、第１支持金具３のベース金具６の当接面１６および凸部１３，１３の側面１７，１７、第１支持金具３のカバープレート７の当接面２４、第２支持金具４のベース金具６の当接面１６および凸部１３，１３の側面１７，１７、第２支持金具４のカバープレート７の当接面２４には緩衝用の樹脂が貼られている。
【００２０】
ここでパネル２の取り付け手順について説明する。まず、第２支持金具４のベース金具６を支柱５にねじ止めする。図示しないが、ベース金具６の孔部１２に六角ボルトを嵌め込んで、ベース金具６の一方側にボルトのねじ部を突出させる。このボルトを支柱５の貫通孔に挿通させ、支柱５の背面側からボルトのねじ部にナットを螺合させて、ベース金具６を支柱５にねじ止めする。このとき六角ボルトの頭部は孔部１２に嵌め込まれて回り止めされるので、作業者はボルトの頭部を軽く押さえてナットを螺合させることができる。
【００２１】
パネル２の厚みに合った挟み込み部材２０を選び、該挟み込み部材２０の一端面を第２支持金具４のベース金具６の溝部２１に嵌め込む。さらにパネル２の厚みに合った荷重支持部材３１を選び、該荷重支持部材３１の一端面をベース金具６の下端側溝部３２に嵌め込む。挟み込み部材２０および荷重支持部材３１の一端面が嵌め込まれたベース金具６にカバープレート７を取り付けて、挟み込み部材２０および荷重支持部材３１の他端面をカバープレート７の溝部２９および下端側溝部３３に嵌め込む。挟み込み部材２０および荷重支持部材３１はベース金具６とカバープレート７との間に挟み込まれる。
【００２２】
このときカバープレート７の凸部２５はベース金具６の凸部１３，１３の端面２２，２２間に係合し、カバープレート７の立ち上がり部３０，３０はベース金具６の凸部１３，１３を挟み込む。この状態でカバープレート７の貫通孔２８に皿小ねじ３４を挿通させて、カバープレート７をベース金具６に緩み状態でねじ止めする。
【００２３】
次に、第２支持金具４の上方に第１支持金具３のべース金具６を取り付ける。第１支持金具３のべース金具６は第２支持金具４のベース金具６の取り付け手順と同様の手順で取り付けられる。ベース金具６の孔部１２に六角ボルトを嵌め込んで、ベース金具６の一方側にボルトのねじ部を突出させる。このボルトを支柱５の貫通孔に挿通させ、支柱５の背面側からボルトのねじ部にナットを螺合させて、ベース金具６を支柱５にねじ止めする。
【００２４】
この状態で、上方から第２支持金具４にパネル２を嵌め込んで、パネル２の側面を凸部１３，１３の側面１７，１７に当接させ、パネル２の底部端面を荷重支持部材３１に当接させる。これによってパネル２は横方向および垂直方向の位置決めがされる。図８はこの状態を示している。
第２支持金具４のベース金具６に緩み状態でねじ止めされているカバープレート７を本締めすると、挟み込み部材２０の一端面がベース金具６溝部２１の底部に到達し、挟み込み部材２０の他端面がカバープレート７溝部２９の底部に到達する。パネル２は当接面１６と当接面２４とによって挟み込まれて固定される。挟み込み部材２０の前後方向の幅は、パネル２が当接面１６と当接面２４とによって均衡が取れた状態で挟み込まれる寸法とされる。
【００２５】
複数枚の異なる寸法の挟み込み部材２０を用意することによって、複数枚の異なる厚みのパネル２に対応することができる。このとき、カバープレート７の一方側に位置する貫通孔２８周縁部と、ベース金具６の他方側に位置する凸部１３ねじ孔１５周縁部との間には常に隙間が確保されている。
なお、皿小ねじ３４を締め込んだとき、荷重支持部材３１の端面が溝部３２と３３との底面に圧接して、パネル２を当接面１６と当接面２４とによって挟み込むことができなくなることを防止するために、荷重支持部材３１は挟み込み部材２０よりも前後方向の幅が幅狭に形成されている。
【００２６】
次に、第１支持金具３のベース金具６溝部２１に挟み込み部材２０の一端面を嵌め込む。カバープレート７の凸部２５をベース金具６の凸部１３，１３の端面２２，２２間に係合するとともに、ベース金具６に嵌め込まれた挟み込み部材２０の他端面をカバープレート７の溝部２９に嵌め込む。このときカバープレート７の立ち上がり部３０，３０はベース金具６の凸部１３，１３を挟み込む。
【００２７】
カバープレート７の貫通孔２８に皿小ねじ３４を挿通して、カバープレート７をベース金具６にねじ止めする。ねじ止めは、カバープレート７の一方側に位置する貫通孔２８周縁部と、ベース金具６の他方側に位置する凸部１３ねじ孔１５周縁部との間に隙間が確保された状態で行われる。
【００２８】
本実施の形態では、ベース金具６を支柱５に固定する六角ボルトの頭部が、支柱５側に凸状に突出した段付き部９に収容されるので、パネル２の遊端側から横方向に突出するパネル支持装置１の突出部を小さくして、すっきりとした外観とすることができる。
本実施例においては、パネル２の荷重は、第２支持金具４の下端に設置された荷重支持部材３１で受けており、ベース金具６の当接面１６とカバープレート７の当接面２４とはパネル２の荷重を受けていないので、当接面１６と当接面２４とでパネル２の荷重を受けるためにパネル２に貫通孔を設けることを要しない。パネル２を、荷重支持部材３１と、凸部１３の側面１７と、当接面１６，２４とに当接させてパネル２の位置決めを容易に行うことができる。
【００２９】
六角ボルトを用いてベース金具６を支柱５にねじ止めしているが、これに限定されるものではなく、たとえば六角孔付きボルトを用いることもできる。この場合には、ナットを螺合するときに、ボルト頭部の孔に六角レンチを差し込んでボルトを固定する必要がある。また、支柱５の後ろにスペースがない場合には、支柱５自体にねじを切って、支柱５の正面から直接六角孔付きボルトをねじ込んで、ベース金具６を支柱５に固定することができる。
【００３０】
このように、パネル２の縦方向に向く遊端側の縁部を支柱５に支持するパネル支持装置１は、支柱５に固定されるベース金具６と、パネル２の縦方向に向く縁部を挟み込んだ状態でベース金具６に取り付けられるカバープレート７とを備え、ベース金具６は、ベース金具６を支柱５に固定する固定部である段付き部９と、パネル２の縦方向に向く縁部の裏面が当接する第１当接面である当接面１６と、パネル２の縦方向に向く縁部の端面が当接する凸部１３と、カバープレート７が取り付けられる取り付け部であるねじ孔１５とを備え、カバープレート７は、パネル２の縦方向に向く縁部の表面が当接する第２当接面である当接面２４と、ねじ孔１５に取り付けられる被取付け部である貫通孔２８とを備え、ベース金具６の凸部１３およびねじ孔１５を境に当接面１６とは反対側の位置と、カバープレート７の貫通孔２８を境に当接面２４とは反対側の位置との間に第１のプレート片である挟み込み部材２０が挟み込まれ、ねじ孔１５と貫通孔２８との間に隙間が確保された状態で、ベース金具６に対しカバープレート７がビス止め固定される第１支持金具３と、支柱５に固定されるベース金具６と、パネル２の縦方向に向く縁部を挟み込んだ状態でベース金具６に取り付けられるカバープレート７とを備え、ベース金具６は、ベース金具６を支柱５に固定する段付き部９と、パネル２の縦方向に向く縁部の裏面が当接する当接面１６と、パネル２の縦方向に向く縁部の端面が当接する凸部１３と、カバープレート７が取り付けられるねじ孔１５とを備え、カバープレート７は、パネル２の縦方向に向く縁部の表面が当接する当接面２４と、ねじ孔１５に取り付けられる貫通孔２８とを備え、ベース金具６の凸部１３およびねじ孔１５を境に当接面１６とは反対側の位置と、カバープレート７の貫通孔２８を境に当接面２４とは反対側の位置との間に挟み込み部材２０が挟み込まれ、ねじ孔１５と貫通孔２８との間に隙間が確保された状態で、ベース金具６に対しカバープレート７がビス止め固定され、ベース金具６とカバープレート７との下端にパネル２の下端横方向に向く縁部に当接しパネル２の荷重を受ける荷重支持部材３１が挟み込まれる第２支持金具４とを備えるので、パネル支持装置１が支持するパネル２に貫通孔などの追加工を行わなくてもパネル２の縁部を支持することができる。
【００３１】
さらに、固定部である段付き部９が支柱５側に凸状に突出しているので、パネル２の遊端側から横方向に突出するパネル支持装置１の突出部を小さくして、すっきりとした外観とすることができる。
【符号の説明】
【００３２】
１    パネル支持装置
２    パネル
３    第１支持金具
４    第２支持金具
５    支柱
６    ベース金具
７    カバープレート
８    プレート部
９    段付き部
１０，２２，２６    端面
１１    貫通孔
１２    孔部
１３，２５    凸部
１５    ねじ孔
１６，２４    当接面
１７，２７    側面
２０    挟み込み部材
２１，２９，３２，３３    溝部
２３    プレート部
２８    貫通孔
３０    立ち上がり部
３１    荷重支持部材
３４    皿小ねじ
【図１】
0005858701.tif 000002
【図２】
0005858701.tif 000003
【図３】
0005858701.tif 000004
【図４】
0005858701.tif 000005
【図５】
0005858701.tif 000006
【図６】
0005858701.tif 000007
【図７】
0005858701.tif 000008
【図８】
0005858701.tif 000009